(57)【要約】【課題】水切り部材のために建具枠が垂直姿勢に対して斜めの姿勢となった場合に、下枠の室内側下取付片と下室内額縁材の内面との間に隙間が生じない建具とする。【解決手段】建具枠１の下枠３の取付面３ａを水切り部材３０を介して建物躯体２０の開口部２１の室外側面２２に取付け、この下枠３の室内側下取付片４２を、下室内額縁材１２の内面１２ａに形成した取付用凹部１４に固着して、その室内側下取付片４２と下室内額縁材１２の内面１２ａとの間に隙間が生じないようにする。【選択図】図２
2010095905.tif 000002
【特許請求の範囲】
【請求項１】
建物躯体の開口部の室外側面に建具枠を取付け、その建具枠の室内側内周面に沿って室内額縁を四周連続して取付けた建具であって、
前記建具枠の下枠の取付面は水切り部材を介して前記開口部の下室外側面に取付け、
前記室内額縁の上室内額縁材の内面を、上枠の室内側上取付片に接して固着具で固着し、
前記室内額縁の下室内額縁材の内面における室外側寄りに取付用凹部を形成して室外側寄り部分を縦面と取付横面を有する階段形状とし、この取付用凹部の取付横面に下枠の室内側下取付片を固着具で固着して、その室内側下取付片の室内側端面を取付用凹部の縦面に接するようにしたことを特徴とする建具。
【請求項２】
前記下枠の室内側下取付片は、その室内側端部に縦向片を有し、その縦向片を下室内額縁材の取付用凹部の縦面に接するようにした請求項１記載の建具。
【請求項３】
前記建具枠の左右の縦枠の室内側縦取付片と、前記室内額縁の縦室内額縁材の内面とが接すると共に、相互に平行な平坦面である請求項１又は２記載の建具。
【発明の詳細な説明】
【技術分野】
【０００１】
本発明は、建具枠の室内側内周面に沿って、室内額縁を四周連続して取付けたサッシ窓などの建具に関する。
【背景技術】
【０００２】
従来、建具枠の室内側内周面に沿って室内額縁を四周連続して取付けた建具が種々提案されている。
例えば、特許文献１に開示されたように、建具枠の上枠、下枠、左右の縦枠の室内側に設けた取付片を、上室内額縁材、下室内額縁材、左右の縦室内額縁材に固着して建具枠の室内側内周面に沿って室内額縁を四周連続して取付けた建具が提案されている。
【特許文献１】実公平１−２６８５８号公報
【発明の開示】
【発明が解決しようとする課題】
【０００３】
前述した従来の建具は、その建具枠を建物躯体の開口部の室外側面に固着具で固着して取付ける際に、下枠と開口部の室外外側面との間に水切り部材を取付けることがある。
この場合には、建具枠が垂直姿勢に対して上枠が室内側寄りとなるように斜めの姿勢となり、下枠の取付片と下の室内額縁との間に隙間が生じてしまう。
前述の従来の建具では、上下横木材、縦木材を設けているので、隙間が見えないが、各木材がなければ隙間が室内から見えてしまう。
【０００４】
本発明の目的は、水切り部材のために建具枠が垂直姿勢に対して斜めの姿勢となった場合に、下枠の室内側下取付片と下室内額縁材の内面との間に隙間が生じないようにした建具とすることである。
【課題を解決するための手段】
【０００５】
本発明は、建物躯体の開口部の室外側面に建具枠を取付け、その建具枠の室内側内周面に沿って室内額縁を四周連続して取付けた建具であって、
前記建具枠の下枠の取付面は水切り部材を介して前記開口部の下室外側面に取付け、
前記室内額縁の上室内額縁材の内面を、上枠の室内側上取付片に接して固着具で固着し、
前記室内額縁の下室内額縁材の内面における室外側寄りに取付用凹部を形成して室外側寄り部分を縦面と取付横面を有する階段形状とし、この取付用凹部の取付横面に下枠の室内側下取付片を固着具で固着して、その室内側下取付片の室内側端面を取付用凹部の縦面に接するようにしたことを特徴とする建具である。
【０００６】
本発明においては、前記下枠の室内側下取付片は、その室内側端部に縦向片を有し、その縦向片を下室内額縁材の取付用凹部の縦面に接するようにできる。
このようにすれば、建具枠が垂直に対して大きな角度斜めであっても、室内側下取付片の室内側端面が下室内額縁材の縦面に接し、その下室内額縁材の内面と室内側下取付片との間に隙間が生じることがない。
【０００７】
本発明においては、前記建具枠の左右の縦枠の室内側縦取付片と、前記室内額縁の縦室内額縁材の内面とが接すると共に、相互に平行な平坦面であるようにできる。
このようにすれば、建具枠が垂直姿勢に対して斜めであっても左右の縦枠の室内側縦取付片と縦室内額縁材の内面との間に隙間が生じることがない。
【発明の効果】
【０００８】
本発明によれば、水切り部材のために建具枠が垂直姿勢に対して斜めの姿勢となるが、下枠の室内側下取付片と下室内額縁材の内面との間に隙間が生じないようにできる。
また、上枠の室内側上取付片が上室内額縁材の内面に接しているので、その室内側上取付片と上室内額縁材との間に隙間が生じることがない。
【発明を実施するための最良の形態】
【０００９】
図１に示すように、建具枠１は、上枠２と下枠３と左右の縦枠４，４を方形状に連結してある。
前記建具枠１の室内側内周面１ａには室内額縁１０が四周連続して取付けてある。
この室内額縁１０は、上室内額縁材１１と下室内額縁材１２と左右の縦室内額縁材１３，１３を方形状に連結してある。
前記建具枠１内には建具体、例えば内障子５と外障子６が面内方向に移動自在に装着されて建具、例えば引き違い窓を構成している。
【００１０】
前記建具枠１は図２、図３に示すように、建物躯体２０の開口部２１における室外側面２２に取付けられる。
前記上枠２の取付面２ａを開口部２１の上室外側面２２ａに接し、下枠３の取付面３ａを開口部２１の下室外側面２２ｂに水切り部材３０を介して接し、左右の縦枠４の取付面４ａを開口部２１の縦室外側面２２ｃに接して取付けられる。
例えば、下枠３の垂下片３ｂを水切り部材３０の縦片３１に接し、その縦片３１を開口部２１の下室外側面２２ｂに押しつけ、その垂下片３ｂから固着具３２を縦片３１を通して建物躯体２０に固着して下枠３を取付ける。
縦枠４の室内側板４ｂを固着具４ｃで建物躯体２０に固着して縦枠４を取付ける。
【００１１】
前記上枠２は図２に示すように、室内側上取付片４０を有する。この室内側上取付片４０が上室内額縁材１１の内面１１ａにおける室外側寄りに接し、固着具４１で固着して上枠２の室内側部と上室内額縁材１１を連結している。
【００１２】
前記下枠３は図２に示すように、室内側下取付片４２を有する。
前記下室内額縁材１２の内面１２ａにおける室外側寄りには取付用凹部１４が長手方向全長に亘って形成され、下室内額縁材１２の室外側寄りは、内面１２ａと連続し、室外側に向かう縦面１４ａと、この縦面１４ａと連続し室外側に向かう取付横面１４ｂで階段形状としてある。
前記下枠３の室内側取付片４２は、下室内額縁材１２の取付用凹部１４の取付横面１４ｂに固着具４３で固着し、室内側取付片４２の室内側端面４２ａを縦面１４ａに接するようにして下枠３の室内側部と下室内額縁材１２を連結している。
【００１３】
前記縦枠４は図３に示すように、室内側縦取付片４４を有する。この室内側縦取付片４４が縦室内額縁材１３の内面１３ａにおける室外側寄りに接し、固着具４５で固着して縦枠４の室内側部と縦室内額縁材１３を連結している。
【００１４】
このようであるから、下枠３の取付面３ａは、水切り部材３０の縦片３１の厚さ分だけ、上枠２の取付面２ａ寄りも室外側寄りに位置し、建具枠１は、垂直姿勢に対して上枠２が室内側寄りとなるように斜めの姿勢となっているが、前記上枠２の室内側上取付片４０に上室内額縁材１１の内面１１ａが接し、下枠３の室内側下取付片４２が下室内額縁材１２の取付用凹部１４に固着しているので、下室内額縁材１２の内面１２ａと下枠３の室内側下取付片４２との間に隙間が生じない。
【００１５】
また、上枠２の室内側上取付片４０と上室内額縁材１１の内面１１ａとの間に隙間が生じない。
また、縦枠４の室内側縦取付片４４が縦室内額縁材１３の内面１３ａに接していると共に、その室内側縦取付片４４と縦室内額縁材１３の内面１３ａは平坦で、平行面であるから、縦室内額縁材１３に対して室内側縦取付片４４が垂直に対して斜めであっても、両者の間には隙間が生じることがない。
【００１６】
前記室内額縁１０は、上室内額縁材１１、下室内額縁材１２、左右の縦室内額縁材１３を方形状に連結した状態で、室内側から建具枠１に向けて開口部２１内に挿入し、上・縦室内額縁材１１，１３の内面１１ａ，１３ａを室内側上取付片４０、室内側縦取付片４４にそれぞれ接すると共に、下室内額縁材１２の取付用凹部１４を室内側下取付片４２に接する。
そして、各取付片４０，４２，４４を固着具４１，４３，４５で上・下・縦室内額縁材１１，１２，１３に固着して室内額縁１０を建具枠１の室内側内周面１ａに四周連続で取付ける。
【００１７】
前記下枠３の室内側下取付片４２は、その室内側端部に縦向片４２ｂを有し、その縦向片４２ｂが下室内額縁材１２の縦面１４ａに当接しているので、建具枠１が垂直に対して大きな角度斜めで、その室内側下取付片４２が水平に対して大きな角度斜めであっても、その室内側下取付片４２の室内側端面４２ａが下室内額縁材１２の縦面１４ａに接し、下室内額縁材１２の内面１２ａと室内側下取付片４２との間に隙間が生じることがない。
【００１８】
前記上枠２は、金属上枠材５０の室内側部に樹脂枠材５１を取付けた複層形材で、その樹脂枠材５１の室内側部分５１ａが前述の室内側上取付片４０であるから、その室内側上取付片４０は弾性変形可能である。
したがって、室内側上取付片４０が上室内額縁材１１の内面１１ａに対して斜めであっても、固着具４１で固着することで室内側上取付片４０を上室内額縁材１１の内面１１ａに密着して取付けできる。
【００１９】
また、縦枠４も上枠２と同様に、金属縦枠材５２の室内側部に樹脂枠材５３を取付けた複層形材で、その樹脂枠材５３の室内側部分５３ａが前述の室内側縦取付片４４である。
したがって、室内側縦取付片４４は弾性変形可能である。
【００２０】
前記下枠３は、金属下枠材５４と中間横樹脂枠材５５と室内側樹脂枠材５６を供えた複層形材で、その金属下枠材５４の室内側部分５４ａと室内側樹脂枠材５６の室内側部分５６ａが重なり合って前述の室内側下取付片４２である。
このようであるから、室内側下取付片４２を固着具４３で下室内額縁材１２の内面１２ａに固着することで、その室内側下取付片４２を下室内額縁材１２の内面１２ａに密着させることができず、両者の間に隙間が生じてしまう。
そこで、前述のように下室内額縁材１２の内面１２ａに取付用凹部１４を形成した。
【００２１】
図２に示すように、金属下枠材５４の室内側部分５４ａを取付用凹部１４の取付横面１４ｂに接し、室内側樹脂枠材５６の室内側部分５６ａで前記室内側部分５４ａを覆うと共に、取付用凹部材１４の縦面１４ａに接している。
このようにすることで、建具枠１の室内側部分が樹脂となるから、結露が生じることがない。
【図面の簡単な説明】
【００２２】
【図１】本発明の実施の形態を示す建具の全体内観図である。
【図２】建具の取付状態の詳細縦断面図である。
【図３】建具の取付状態の詳細横断面図である。
【符号の説明】
【００２３】
１…建具枠、１ａ…室内側内周面、２…上枠、２ａ…取付面、３…下枠、３ａ…取付面、４…縦枠、４ａ…取付面、１０…室内額縁、１１…上室内額縁材、１１ａ…内面、１２…下室内額縁材、１２ａ…内面、１３…縦室内額縁材、１３ａ…内面、１４…取付用凹部、１４ａ…縦面、１４ｂ…取付横面、２０…建物躯体、２１…開口部、２２…室外側面、３０…水切り部材、３１…縦片、４０…室内側上取付片、４１…固着具、４２…室内側下取付片、４３…固着具、４４…室内側縦取付片、４５…固着具。
【図１】
2010095905.tif 000003
【図２】
2010095905.tif 000004
【図３】
2010095905.tif 000005